(57)【特許請求の範囲】
【請求項１】
光信号のＯＳＮＲ（optical  signal−to−noise  ratio）を監視する方法であって、前記方法は、
ＯＳＮＲ監視のために第１の光信号を受信するステップであって、前記第１の光信号は第１の光チャネルを有し、Ｘ偏波成分及びＹ偏波成分を含む直交二重偏波変調を用いて変調される、ステップと、
前記第１の光チャネルに対応する通過帯域に渡りインバンド信号を生成するために、前記第１の光信号を光学的にフィルタリングするステップと、
前記インバンド信号の前記Ｘ偏波成分及び前記Ｙ偏波成分のうちの１つを連続交互方式で光学的に選択するステップと、
前記連続交互方式で、前記Ｘ偏波成分の第１のパワー波形データと前記Ｙ偏波成分の第２のパワー波形データとを生成するステップであって、前記第１及び第２のパワー波形データは、それぞれ前記Ｘ偏波成分及びＹ偏波成分の光パワーを示す電気パワー信号を生成し、増幅し、デジタル化することにより生成される、ステップと、
前記Ｘ偏波成分の第１のＯＳＮＲ及び前記Ｙ偏波成分の第２のＯＳＮＲを計算するために、デジタル信号プロセッサを用いて前記第１のパワー波形データ及び前記第２のパワー波形データを処理するステップと、
を有する方法。
【請求項２】
前記第１の光信号は、前記第１の光チャネルを含む複数の光チャネルを有し、前記複数の光チャネルは波長分割多重される、請求項１に記載の方法。
【請求項３】
前記光チャネルは、ＰＳＫ（phase−shift  keying）、ＦＳＫ（frequency−shift  keying）、ＡＳＫ（amplitude−shift  keying）、及びＱＡＭ（quadrature  amplitude  modulation）のうちの少なくとも１つを用いて変調される、請求項２に記載の方法。
【請求項４】
ＯＳＮＲ（optical  signal−to−noise  ratio）モニタであって、
可調光フィルタであって、
ＯＳＮＲ監視のために第１の光信号を受信し、前記第１の光信号は第１の光チャネルを有し、Ｘ偏波成分及びＹ偏波成分を含む直交二重偏波変調を用いて変調され、
前記第１の光チャネルに対応する通過帯域に渡りインバンド信号を生成するために、前記第１の光信号を光学的にフィルタリングする、可調光フィルタと、
前記インバンド信号の前記Ｘ偏波成分及び前記Ｙ偏波成分のうちの１つを連続交互方式で光学的に選択する偏波要素と、
前記連続交互方式で、前記Ｘ偏波成分の第１のパワー波形データと前記Ｙ偏波成分の第２のパワー波形データとを生成するデジタイザであって、前記第１及び第２のパワー波形データは、それぞれ前記Ｘ偏波成分及びＹ偏波成分の光パワーを示す電気パワー信号を生成し、増幅し、デジタル化することにより生成される、デジタイザと、
前記Ｘ偏波成分の第１のＯＳＮＲ及び前記Ｙ偏波成分の第２のＯＳＮＲを計算するために、前記第１のパワー波形データ及び前記第２のパワー波形データを処理するデジタル信号プロセッサと、
を有するＯＳＮＲモニタ。
【請求項５】
前記第１の光信号は、前記第１の光チャネルを含む複数の光チャネルを有し、前記複数の光チャネルは波長分割多重される、請求項４に記載のＯＳＮＲモニタ。
【請求項６】
前記光チャネルは、ＰＳＫ（phase−shift  keying）、ＦＳＫ（frequency−shift  keying）、ＡＳＫ（amplitude−shift  keying）、及びＱＡＭ（quadrature  amplitude  modulation）のうちの少なくとも１つを用いて変調される、請求項５に記載のＯＳＮＲモニタ。
【請求項７】
光通信システムであって、
光信号送信経路で光信号を送信する送信機と、
前記光信号送信経路から前記光信号を受信する受信機と、
ＯＳＮＲ（optical  signal−to−noise  ratio）モニタと、
を有し、前記ＯＳＮＲモニタは、
可調光フィルタであって、
ＯＳＮＲ監視のために第１の光信号を受信し、前記第１の光信号は第１の光チャネルを有し、Ｘ偏波成分及びＹ偏波成分を含む直交二重偏波変調を用いて変調され、
前記第１の光チャネルに対応する通過帯域に渡りインバンド信号を生成するために、前記第１の光信号を光学的にフィルタリングする、可調光フィルタと、
前記光学的なフィルタリングの後に、前記インバンド信号の前記Ｘ偏波成分及び前記Ｙ偏波成分のうちの１つを連続交互方式で光学的に選択する偏波要素と、
前記連続交互方式で、前記Ｘ偏波成分の第１のパワー波形データと前記Ｙ偏波成分の第２のパワー波形データとを生成するデジタイザであって、前記第１及び第２のパワー波形データは、それぞれ前記Ｘ偏波成分及びＹ偏波成分の光パワーを示す電気パワー信号を生成し、増幅し、デジタル化することにより生成される、デジタイザと、
前記Ｘ偏波成分の第１のＯＳＮＲ及び前記Ｙ偏波成分の第２のＯＳＮＲを計算するために、前記第１のパワー波形データ及び前記第２のパワー波形データを処理するデジタル信号プロセッサと、
を有する、
光通信システム。
【請求項８】
前記第１の光信号は、前記第１の光チャネルを含む複数の光チャネルを有し、前記複数の光チャネルは波長分割多重される、請求項７に記載の光通信システム。
【請求項９】
前記光チャネルは、Ｘ偏波成分及びＹ偏波成分を含む直交二重偏波変調を用いて変調される、請求項８に記載の光通信システム。
【請求項１０】
前記光チャネルは、ＰＳＫ（phase−shift  keying）、ＦＳＫ（frequency−shift  keying）、ＡＳＫ（amplitude−shift  keying）、及びＱＡＭ（quadrature  amplitude  modulation）のうちの少なくとも１つを用いて変調される、請求項８に記載の光通信システム。
【請求項１１】
前記第１の光信号は、前記第１の光チャネルを含む複数の光チャネルを有し、前記複数の光チャネルはスーパーチャネルである、請求項７に記載の光通信システム。
【発明の詳細な説明】
【技術分野】
【０００１】
本開示は、概して、光通信ネットワークに関し、より詳細には、インバンド光信号対雑音比（optical  signal−to−noise  ratio：ＯＳＮＲ）モニタに関する。
【背景技術】
【０００２】
＜従来技術の説明＞
電気通信、ケーブルテレビシステム、データ通信システムは、光ネットワークを用いて、遠隔地点間で大量の情報を迅速に伝達する。光ネットワークでは、情報は、光ファイバを通じて光信号の形式で伝達され得る。光ファイバは、長距離に渡り信号を伝達可能なガラスの細い紐を有し得る。光ネットワークは、光ファイバを介して光信号で情報を伝達するために変調方式を用いる場合が多い。このような変調方式は、ＰＳＫ（phase−shift  keying）、ＦＳＫ（frequency−shift  keying）、ＡＳＫ（amplitude−shift  keying）、及びＱＡＭ（quadrature  amplitude  modulation）を有しても良い。
【０００３】
ＰＳＫでは、光信号により伝達される情報は、搬送波としても知られる参照信号の位相を変調することにより変換されても良い。情報は、ＤＰＳＫ（differential  phase−shift  keying）を用いて信号自体の位相を変調することにより変換されても良い。ＱＡＭでは、光信号により運ばれる情報は、搬送波の振幅と位相の両方を変調することにより伝達されても良い。ＰＳＫは、ＱＡＭの一部であると考えられる。ここで、搬送波の振幅は、一定に維持される。
【０００４】
ＰＳＫ及びＱＡＭ信号は、コンステレーション図上で実数軸及び虚数軸を有する複素平面を用いて表現できる。情報を運ぶシンボルを表すコンステレーション図上の点は、図の原点の周りに均一な角度で間隔を空けて位置付けられる。ＰＳＫ及びＱＡＭを用いて変調されるべきシンボルの数は増大し、したがって伝達できる情報が増加し得る。信号の数は、２の倍数で与えられ得る。追加シンボルが追加されると、それらは、元のシンボルの周りに均一に配置され得る。ＰＳＫ信号は、コンステレーション図の上に円に配置される。これは、ＰＳＫ信号が全てのシンボルに対して一定のパワーを有することを意味する。ＱＡＭ信号は、ＰＳＫ信号と同じ角度構成だが、異なる振幅構成を有しても良い。ＱＡＭ信号は、複数の円の周りに配置されるシンボルを有しても良い。これは、ＱＡＭ信号が異なるシンボルに対して異なるパワーを有することを意味する。この構成は、シンボルが可能な限り離されるとき、ノイズのリスクを低減し得る。したがって、シンボル数「ｍ」が用いられ、「ｍ−ＰＳＫ」又は「ｍ−ＱＡＭ」と表す。
【０００５】
異なるシンボル数を有するＰＳＫ及びＱＡＭの例は、コンステレーション図の上で０度及び１８０度（又は０及びπ）の２つの位相を用いるＢＰＳＫ（binary  PSK又は２−PSK）、又は０度、９０度、１８０度及び２７０度（又は０、π／２、π及び３π／２）の４つの位相を用いるＱＰＳＫ（quadrature  PSK、４−PSK又は４−QAM）を含み得る。このような信号に含まれる位相は、オフセットされても良い。２−ＰＳＫ及び４−ＰＳＫ信号の各々は、コンステレーション図の上に配置され得る。
【０００６】
ｍ−ＰＳＫ信号は、ＤＰ−ＱＰＳＫ（dual−polarization  QPSK）のような技術を用いて更に偏波されても良い。ここで、別個のｍ−ＰＳＫ信号は、信号を直交偏波することにより多重化される。ｍ−ＱＡＭ信号は、ＤＰ−１６−ＱＡＭ（dual−polarization  １６−QAM）のような技術を用いて偏波されても良い。ここで、別個のｍ−ＱＡＭ信号は、信号を直交偏波することにより多重化される。
【０００７】
光ネットワークは、ネットワーク内で種々の動作を実行するために、増幅器、分散補償器、マルチプレクサ／デマルチプレクサフィルタ、波長選択スイッチ、光スイッチ、カプラ、等のような種々の光学要素を有しても良い。特に、光ネットワークは、光信号の到達距離が単一の光経路の中に限られるとき、ＲＯＡＤＭ（reconfigurable  optical  add−drop  multiplexer）におけるコストのかかるＯ−Ｅ−Ｏ（optical−electrical−optical）再生を有し得る。
【０００８】
光ネットワークのデータレートが増大し続け、１テラビット／ｓ（１Ｔ）以上に達すると、例えば、二重偏波を有するＱＡＭ及びＰＳＫのような高機能変調フォーマットの使用に起因してＯＳＮＲ（optical  signal−to−noise  ratio）に対する要求も増大する。ＯＳＮＲモニタが光チャネルのインバンドＯＳＮＲを測定しないとき、光チャネルの実際の信号品質は、正確に決定できない。
【発明の概要】
【０００９】
一態様では、インバンドＯＳＮＲ監視のための開示の方法は、ＯＳＮＲ監視のために第１の光信号を受信するステップであって、前記第１の光信号は第１の光チャネルを有する、ステップを有する。前記方法は、第１の光チャネルに対応する通過帯域に渡りインバンド信号を生成するために、前記第１の光信号を光学的にフィルタリングするステップを有する。前記方法は、前記通過帯域に渡りインバンド信号の光パワーを測定するステップを更に有する。前記通過帯域に渡る光パワーを示す電気パワー信号が生成される。前記方法は、増幅パワー信号を生成するために、前記電気パワー信号を電気的に増幅するステップを更に有する。前記方法は、パワー波形データを生成するために、前記増幅パワー信号をデジタル化するステップと、前記第１の光チャネルのＯＳＮＲを計算するために、デジタル信号プロセッサを用いて前記パワー波形データを処理するステップと、を更に有する。
【００１０】
インバンドＯＳＮＲ監視の追加の開示される態様は、本願明細書に記載されるような、ＯＳＮＲモニタ、ＯＳＮＲモニタを有するＯＡＤＭ、及び光通信システム、を含む。
【図面の簡単な説明】
【００１１】
本発明並びにその特徴及び利点のより完全な理解のため、添付の図と共に以下の説明を参照する。
【図１】光ネットワークの一実施形態の選択された要素のブロック図である。
【図２】インバンドＯＳＮＲ監視を有する光アッドドロップマルチプレクサの一実施形態の選択された要素のブロック図である。
【図３】インバンドＯＳＮＲモニタの一実施形態の選択された要素のブロック図である。
【図４Ａ】インバンドＯＳＮＲモニタの一実施形態の選択された要素のブロック図である。
【図４Ｂ】インバンドＯＳＮＲモニタの一実施形態の選択された要素のブロック図である。
【図５Ａ】インバンドＯＳＮＲモニタの一実施形態の選択された要素のブロック図である。
【図５Ｂ】インバンドＯＳＮＲモニタの一実施形態の選択された要素のブロック図である。
【図６Ａ】インバンドＯＳＮＲモニタの一実施形態の選択された要素のブロック図である。
【図６Ｂ】インバンドＯＳＮＲモニタの一実施形態の選択された要素のブロック図である。
【図７】光ネットワークの制御システムの一実施形態の選択された要素のブロック図である。
【図８】インバンドＯＳＮＲ監視のための方法の一実施形態の選択された要素のフロー図である。
【発明を実施するための形態】
【００１２】
以下の説明では、開示の主題の議論を容易にするために例として詳細事項が説明される。しかしながら、当業者には、開示の実施形態が例示であること及び全ての可能な実施形態を網羅するものではないことが明らかである。
【００１３】
本開示を通じて、ハイフンで結んだ形式の参照符号は、１つの要素の特定のインスタンスを表し、ハイフンを有しない形式の参照符号は、要素を一般的又は集合的に表す。したがって、例として（図示しない）、装置１２−１は、装置クラスのインスタンスを表し、装置１２として集合的に言及されても良く、それらのうちの任意のものが装置１２として一般的に言及されても良い。図及び説明の中で、同様の記号は同様の要素を表す。
【００１４】
図を参照すると、図１は、光通信システムを表し得る光ネットワーク１０１の例示的な実施形態を示す。光ネットワーク１０１は、光ネットワーク１０１のコンポーネントにより通信される１又は複数の光信号を運ぶために、１又は複数の光ファイバ１０６を有しても良い。光ネットワーク１０１のネットワーク要素は、ファイバ１０６により互いに結合され、１又は複数の送信機１０２、１又は複数のマルチプレクサ（ＭＵＸ）１０４、１又は複数の光増幅器１０８、１又は複数の光アド／ドロップマルチプレクサ（optical  add/drop  multiplexer：ＯＡＤＭ）１１０、及び１又は複数のデマルチプレクサ（ＤＥＭＵＸ）１０５、及び１又は複数の受信機１１２を有しても良い。
【００１５】
光ネットワーク１０１は、端末ノードを有するポイントツーポイント型光ネットワーク、リング型光ネットワーク、メッシュ型光ネットワーク、又は任意の他の適切な光ネットワーク若しくは光ネットワークの組合せを有しても良い。光ネットワーク１０１は、短距離都市域ネットワーク、長距離都市間ネットワーク、又は任意の他の適切なネットワーク若しくはネットワークの組合せの中で用いられても良い。光ネットワーク１０１の容量は、例えば、１００Ｇｂｉｔ／ｓ、４００Ｇｂｉｔ／ｓ、又は１Ｔｂｉｔ／ｓを有しても良い。光ファイバ１０６は、非常に低損失で長距離に渡り信号を伝達可能なガラスの細い紐を有しても良い。光ファイバ１０６は、光伝送のために種々の異なるファイバから選択される適切な種類のファイバを有しても良い。光ファイバ１０６は、標準的なＳＭＦ（Single−Mode  Fiber）、Ｅ−ＬＥＡＦ（Enhanced  Large  Effective  Area  Fiber）、又はＴＷ−ＲＳ（TrueWave（登録商標）Reduced  Slope）ファイバのような任意の適切な種類のファイバを有しても良い。
【００１６】
光ネットワーク１０１は、光ファイバ１０６を介して光信号を送信する装置を有しても良い。情報は、波長に関する情報を符号化するために１又は複数の光の波長の変調により、光ネットワーク１０１を通じて送信及び受信されても良い。光ネットワークでは、光の波長は、光信号に含まれる「チャネル」とも称されても良い。各チャネルは、光ネットワーク１０１を通じて特定量の情報を伝達しても良い。
【００１７】
光ネットワーク１０１の情報容量及び伝送能力を増大するために、複数のチャネルで送信される複数の信号は、単一の広帯域光信号に結合されても良い。複数のチャネルで情報を通信するプロセスは、光学的にＷＤＭ（wavelength  division  multiplexing）として言及される。ＣＷＤＭ（Coarse  wavelength  division  multiplexing）は、通常２０ｎｍより大きく１６個の波長より少ない、少ないチャネル数を有する広く間隔の開けられた波長の、１本のファイバへの多重化を表す。また、ＤＷＤＭ（dense  wavelength  division  multiplexing）は、通常０．８ｎｍより狭い間隔で４０個より多い、多くのチャネル数を有する密な間隔の波長の、１本のファイバへの多重化を表す。ＷＤＭ又は他の複数波長多重送信技術は、光ファイバ当たりの集約帯域幅を増大するために、光ネットワークで用いられる。ＷＤＭ無しでは、光ネットワークにおける帯域幅は、たった１波長のビットレートに制限され得る。より大きな帯域幅により、光ネットワークは、より多くの情報を送信できる。光ネットワーク１０１は、ＷＤＭ又は何らかの他の適切な多チャネル多重化技術を用いて異なるチャネルを送信し、多チャネル信号を増幅しても良い。
【００１８】
光ネットワーク１０１は、特定の波長又はチャネルで、光ネットワーク１０１を通じて光信号を送信する１又は複数の光送信機（Ｔｘ）１０２を有しても良い。送信機１０２は、電気信号を光信号に変換し該光信号を送信するシステム、機器、又は装置を有しても良い。例えば、送信機１０２は、それぞれ、レーザと、電気信号を受信し該電気信号に含まれる情報を特定の波長でレーザにより生成される光のビームに変調し光ネットワークを通じて信号を伝達するビームを送信する変調器と、を有しても良い。
【００１９】
マルチプレクサ１０４は、送信機１０２に結合されても良く、送信機１０２により、例えばそれぞれ個々の波長で送信される信号を、ＷＤＭ信号に結合するシステム、機器又は装置であっても良い。
【００２０】
光増幅器１０８は、光ネットワーク１０１の中の多チャネル信号を増幅しても良い。光増幅器１０８は、特定長のファイバ１０６の前及び／又は後に置かれても良い。光増幅器１０８は、光信号を増幅するシステム、機器又は装置を有しても良い。例えば、光増幅器１０８は、光信号を増幅する光リピータを有しても良い。この増幅は、光−電気又は電気−光変換により実行されても良い。幾つかの実施形態では、光増幅器１０８は、希土類元素をドープされた光ファイバを有し、ドープ光ファイバ増幅素子を形成しても良い。信号がファイバを通過するとき、外部エネルギがポンプ信号の形式で印加され、光ファイバのドープされた部分の原子を励起し、光信号の強度を増大する。一例として、光増幅器１０８は、エルビウムドープファイバ増幅器（erbium−doped  fiber  amplifier：ＥＤＦＡ）を有しても良い。
【００２１】
ＯＡＤＭ１１０は、ファイバ１０６を介して光ネットワーク１０１に結合されても良い。ＯＡＤＭ１１０は、ファイバ１０６から光信号を（つまり、個々の波長で）アッド又はドロップするシステム、機器又は装置を有しても良いアッド／ドロップモジュールを有しても良い。ＯＡＤＭ１１０を通過した後に、光信号は、ファイバ１０６に沿って宛先へと直接進んでも良く、或いは、信号は、宛先に達する前に、１又は複数の追加ＯＡＤＭ１１０及び／又は光増幅器１０８を通過しても良い。
【００２２】
光ネットワーク１０１の特定の実施形態では、ＯＡＤＭ１１０は、ＷＤＭ信号の個々の又は複数の波長をアッド又はドロップできるＲＯＡＤＭ（reconfigurable  OADM）を表しても良い。個々の又は複数の波長は、例えば、ＲＯＡＤＭに含まれ得るＷＳＳ（wavelength  selective  switch）（図示しない）を用いて光ドメインの中でアッド又はドロップされても良い。
【００２３】
図１に示すように、光ネットワーク１０１は、ネットワーク１０１の１又は複数の宛先に、１又は複数のデマルチプレクサ１０５を有しても良い。デマルチプレクサ１０５は、単一の合成ＷＤＭ信号をそれぞれの波長において個々のチャネルに分離することによりデマルチプレクサとして動作するシステム、機器又は装置を有しても良い。例えば、光ネットワーク１０１は、４０チャネルＤＷＤＭ信号を伝送しても良い。デマルチプレクサ１０５は、４０個の異なるチャネルに従って、信号、４０チャネルＤＷＤＭ信号を４０個の別個の信号に分割しても良い。
【００２４】
図１で、光ネットワーク１０１は、デマルチプレクサ１０５に結合される受信機１１２も有しても良い。各受信機１１２は、特定の波長又はチャネルで送信される光信号を受信し、該光信号をそれらが含む情報（データ）を得る（復調する）ために処理しても良い。したがって、ネットワーク１０１は、ネットワークの各チャネル毎に少なくとも１つの受信機１１２を有しても良い。
【００２５】
図１の光ネットワーク１０１のような光ネットワークは、光ファイバを介して光信号の中で情報を伝達するために、変調技術を用いても良い。このような変調方式は、変調技術の他の例の中でも特に、ＰＳＫ（phase−shift  keying）、ＦＳＫ（frequency−shift  keying）、ＡＳＫ（amplitude−shift  keying）、及びＱＡＭ（quadrature  amplitude  modulation）を有しても良い。ＰＳＫでは、光信号により伝達される情報は、搬送波又は単にキャリアとしても知られる参照信号の位相を変調することにより変換されても良い。情報は、２レベル又はＢＰＳＫ（binary  phase−shift  keying）、４レベル又はＱＰＳＫ（quadrature  phase−shift  keying）、Ｍ−ＰＳＫ（multi−level  phase−shift  keying）及びＤＰＳＫ（differential  phase−shift  keying）を用いて信号自体の位相を変調することにより変換されても良い。ＱＡＭでは、光信号により運ばれる情報は、搬送波の振幅と位相の両方を変調することにより伝達されても良い。ＰＳＫは、ＱＡＭの一部であると考えられる。ここで、搬送波の振幅は、一定に維持される。
【００２６】
さらに、ＰＤＭ（polarization  division  multiplexing）技術は、情報送信のために、より大きなビットレートを達成できる。ＰＤＭ伝送は、チャネルに関連する光信号の種々の偏光成分に情報を変調することを含む。光信号の偏波は、通常、光信号の振動方向を表し得る。用語「偏光」は、通常、光信号の伝搬方向に垂直な、空間内のある点における光信号の電場ベクトルの先端により追跡される経路を表し得る。
【００２７】
特定の実施形態では、光ネットワーク１０１は、スーパーチャネルを送信しても良い。スーパーチャネルの中では、複数のサブキャリア信号（又はサブチャネル若しくはチャネル）が、固定帯域幅に密にパックされ、４００Ｇｂ／ｓ、１Ｔｂ／ｓ、又はそれより高いような非常に高いデータレートで送信されても良い。さらに、スーパーチャネルは、例えば数百キロメートルのような非常に長い距離に及ぶ送信に良好に適し得る。標準的なスーパーチャネルは、光ネットワーク１０１を通じて１つのエンティティとして送信される単一チャネルを形成するために周波数多重化されたサブキャリアのセットを有しても良い。スーパーチャネルの中のサブキャリアは、高いスペクトル効率を達成するためにしっかりパックされても良い。
【００２８】
図１の光ネットワーク１０１のような光ネットワークでは、管理プレーン、制御プレーン、及びトランスポートプレーン（物理層と呼ばれることが多い）を言及することが通常である。中央管理ホスト（図示しない）は、管理プレーンに存在しても良く、制御プレーンのコンポーネントを構成し管理しても良い。管理プレーンは、トランスポートプレーン及び制御プレーンのエンティティ（例えば、ネットワーク要素）全てに渡る最終的な制御を有する。一例として、管理プレーンは、１又は複数の処理リソース、データ記憶コンポーネント、等を含む中央処理センタ（例えば、中央管理ホスト）を有しても良い。管理プレーンは、制御プレーンの要素と電気的に通信しても良く、トランスポートプレーンの１又は複数のネットワーク要素と電気的に通信しても良い。管理プレーンは、システム全体の管理機能を実行し、ネットワーク要素、制御プレーン及びトランスポートプレーンの間の調整を提供しても良い。例として、管理プレーンは、要素の観点から１又は複数のネットワーク要素を取り扱うＥＭＳ（element  management  system）、ネットワークの観点から多くの装置を取り扱うＮＭＳ（network  management  system）、及び／又はネットワーク全体の動作を取り扱うＯＳＳ（operational  support  system）を有しても良い。
【００２９】
本開示の範囲から逸脱することなく、光ネットワーク１０１に対し変更、追加又は省略が行われても良い。例えば、光ネットワーク１０１は、図１に示すものより多くの又は少ない要素を有しても良い。また、上述のように、ポイントツーポイントネットワークとして図示されたが、光ネットワーク１０１は、リング、メッシュ、及び／又は階層構造のネットワークトポロジのような光信号を送信する任意の適切なネットワークトポロジを有しても良い。
【００３０】
上述のように、光ネットワークを介して送信され得る情報量は、情報と共に符号化され１つの信号に多重化された光チャネルの数と共に変化しても良い。したがって、ＷＤＭ信号を用いる光ファイバは、単一チャネルにより情報を伝達する光ファイバよりも多くの情報を伝達できる。伝達されるチャネル数及び偏波成分の数に加えて、どれだけ多くの情報が光りネットワークを介して送信できるかに影響する別の要因は、送信のビットレートであり得る。ビットレートが高いほど、送信される情報容量は大きい。高いビットレートの達成は、広帯域電気ドライバ技術、デジタル信号プロセッサ技術の可用性により制限され、光ネットワーク１０１による送信のために要求されるＯＳＮＲを増大し得る。
【００３１】
光ネットワーク１０１の動作中、データレートが１Ｔに近付き、超えると、Ｏ−Ｅ−Ｏ再生器の過剰な数を回避することにより経済的実現可能性を維持するために、対応する高いＯＳＮＲが望ましくなる。したがって、光ネットワーク１０１により送信される所与の光チャネルのインバンドＯＳＮＲを正確に且つ瞬時に測定することが望ましい。このようなインバンドＯＳＮＲの測定は、光ネットワーク１０１の並びに関連するシステム及び装置のノードツーノード及びポイントツーポイント送信性能のリアルタイム監視を可能にし得る。インバンドＯＳＮＲ測定により提供される光信号品質の正確な表現が無いと、光ネットワークの中に他の悪影響が生じ得る。例えば、光チャネルの予め設計された光到達距離が達成されないことがあり、これは望ましくない。したがって、ＯＳＮＲ監視は、光チャネルの到達可能性を決定でき、光ネットワーク１０１の中の任意の障害ポイントを検出できる。
【００３２】
幾つかの実施形態では、ＯＳＮＲ監視は、光ネットワーク１０１の中のＯＡＤＭノードと共に含まれても良い。ＩＴＵ−Ｔ（International  Telecommunication  Union  Telecommunication  Standardization  Sector）により発布されたような工業標準は、監視されたＯＳＮＲのエラーは、広範囲のＯＳＮＲに渡り±１ｄＢの範囲内でなければならないと提案している。
【００３３】
更に詳細に説明すると、本願明細書に開示の、インバンドＯＳＮＲ測定の精度を従来のＯＳＮＲモニタよりも向上し得るインバンドＯＳＮＲモニタを実施する方法及びシステムは、光チャネルモニタ（optical  channel  monitor：ＯＣＭ）のようなアウトバンドＯＳＮＲを測定するよう設計される。通常のＯＣＭは、ピーク信号パワーとアウトバンドノイズパワーとの間のパワー差に依存するアウトバンドノイズ推定を使用する。これは、インバンドノイズがアウトバンドノイズと異なり得るので、インバンドノイズを正確に表さないことがある。ＯＣＭと対照的に、本願明細書に開示のインバンドＯＳＮＲモニタは、例えば各チャネルに個々に影響を与えるアッド／ドロップイベントに起因する、光チャネル毎に異なり得る真のノイズ情報を表すインバンドノイズを測定できる。本願明細書に開示のインバンドＯＳＮＲモニタは、単一偏波（single−polarization：ＳＰ）及び二重偏波（dual−polarization：ＤＰ）変調フォーマットに適用可能である。本願明細書に開示のインバンドＯＳＮＲモニタは、特に、ＢＰＳＫ、ＱＰＳＫ、ＱＡＭのような異なる変調フォーマット、及びスーパーチャネルフォーマットと共に使用できる。本願明細書に開示のインバンドＯＳＮＲモニタは、１Ｔ以上のデータレートでの光送信に対応し得る。本願明細書に開示のインバンドＯＳＮＲモニタは、機能障害の中でも特に、色分散（chromatic  dispersion：ＣＤ）、偏波モード分散（polarizationmodedispersion：ＰＭＤ）、ファイバ非線形性、通過帯域減少（passband  narrowing：ＰＢＮ）、送信機又は光ファイバの中の周波数オフセット、及び偏波依存損失（polarization  dependent  loss：ＰＤＬ）のような種々のシステム障害に影響されない。特定の実施形態では、本願明細書に開示のインバンドＯＳＮＲモニタは、ＰＢＮ及び周波数オフセットの影響に対する免疫を有し、±５ｄＢの精度を達成し得る。本願明細書に開示のインバンドＯＳＮＲモニタは、ＤＳＰがデジタル領域でＯＳＮＲを測定するので、被監視チャネルに対する入力パワー制限（又はパワー範囲制限）を除去できるデジタル信号プロセッサ（ＤＳＰ）を用いても良い。本願明細書に開示のインバンドＯＳＮＲモニタは、異なるチャネル及びフォーマットで柔軟に動作するために、可調光ファイバを用いても良い。
【００３４】
図２を参照すると、インバンドＯＳＮＲ監視を有するＯＡＤＭ２００の例示的な一実施形態の選択された要素が示される。図示のように、ＯＡＤＭ２００は、ＯＡＤＭ１１０の一実施形態（図１を参照）の選択された要素を表し得るＯＡＤＭノード２０２を有する。ＯＡＤＭ２００は、光ネットワーク１０１の中の光信号をアッド又はドロップしても良い。
【００３５】
ＯＡＤＭ２００では、ＯＡＤＭノード２０２は、入力チャネル（つまり、光信号）２１０を受信しても良く、出力チャネル２１４を送信しても良い。入力チャネル２１０及び出力チャネル２１４は、ＷＤＭ信号の形式であっても良い。特定の実施形態では、入力チャネル２１０は、スーパーチャネルを表しても良い。図示のように、入力チャネル２１０は、２１０−１、２１０−２等、２１０−Ｎまで指定されるＮ個のチャネルを有する。ＯＡＤＭノード２０２により出力される出力チャネル２１４は、２１４−１、２１４−２等、２１４−Ｍまで指定されるＭ個のチャネルを有しても良い。留意すべきことに、Ｎ及びＭは、ＯＡＤＭノード２０２により実行されるアッド／ドロップイベントに依存して異なっても良く、１より大きい又は１と等しい任意の値を有しても良い。Ｎ＝１のとき、入力チャネル２１０が本願明細書で複数形で用いられる場合でも、入力チャネル２１０は単一チャネルを有しても良い。Ｍ＝１のとき、出力チャネル２１４が本願明細書で複数形で用いられる場合でも、出力チャネル２１４は単一チャネルを有しても良い。
【００３６】
図示のように、ＯＡＤＭノード２０２は、それぞれインバンドＯＳＮＲモニタ２０４に関連付けられるタップ２０８を有する。タップ２０８は、パワータップ信号２１６として示される、光信号パワーの５〜１０％のような、光信号を表す光信号パワーの一部を、インバンドＯＳＮＲモニタ２０４へ迂回させる。インバンドＯＳＮＲモニタ２０４は、パワータップ信号２１６を受信し、インバンドＯＳＮＲ値をＯＡＤＭコントローラ２０６へ出力しても良い。図示のように、タップ２０８−１は、パワータップ信号２１６−１を、入力チャネル２１０からインバンドＯＳＮＲモニタ２０４−１へ供給する。一方で、タップ２０８−２は、パワータップ信号２１６−２を、出力チャネル２１４からインバンドＯＳＮＲモニタ２０４−２へ供給する。ＯＡＤＭコントローラ２０６は、交換装置２１２にさらに結合されても良い。交換装置２１２は、例えば他の光ネットワークセグメントからチャネルをアッド又はドロップするために、光チャネルスイッチングを実行する。このように、ＯＡＤＭノード２０２は、異なる光ネットワーク及びネットワークトポロジとの接続性を提供でき、同時に、入力チャネル２１０及び出力チャネル２１４のインバンドＯＳＮＲを監視する。
動作中、インバンドＯＳＮＲモニタ２０４は、後に詳述するように、特定の光チャネルについて、インバンド光信号をデジタル方式でサンプリングして、パワー波形データを生成しても良い。パワー波形データは、光チャネルに対応する通過帯域に渡りサンプリングされる。パワー波形データは、次に、インバンドＯＳＮＲモニタ２０４によりデジタル信号プロセッサ（ＤＳＰ）を用いて処理され、波形−スペクトル（又は時間領域から周波数領域への）変換を実行する。パワー波形データの周波数スペクトルが得られると、デジタル領域でのパワー積分が実行され、低域通過フィルタ済みパワーＰＬＰＦ及び帯域通過フィルタ済みパワーＰＢＰＦを得ても良い。信号パワーＰｓｉｇは、式１により与えられるように、ＰＬＰＦの観点で表現できる。
【数１】
0006658081.tif 000002
式１で、Ｃ１は低域通過フィルタに関連する較正定数であり、ＢＯは光帯域幅であり、Ｒｒｅｓは通常１２．５ＧＨｚに設定される測定分解能であり、ＯＳＮＲはインバンドＯＳＮＲである。さらに、ＰＢＰＦは、式２により与えられるように、Ｐｓｉｇの観点で表現できる。
【数２】
0006658081.tif 000003
【００３７】
式２で、Ｃ２、Ｃ３、α１、α２、及びΩは、入力信号の種類に関連する較正定数であり、帯域通過フィルタＢＦは帯域通過フィルタの帯域幅であり、ＲＰＤは光パワーをサンプリングするために用いられる光検出器の光−電気応答度であり、残りの項は式１と同じである。式１及び２では、較正定数は予め定められ、低域通過フィルタ済みパワーＰＬＰＦ及び帯域通過フィルタ済みパワーＰＢＰＦが上述のように測定されると、ＯＳＮＲは未知の項だけを残す。したがって、式１を式２に代入することにより、ＯＳＮＲが計算できる。
【００３８】
図３を参照すると、インバンドＯＳＮＲモニタ３００の例示的な一実施形態の選択された要素が示される。図示のように、インバンドＯＳＮＲモニタ３００は、インバンドＯＳＮＲモニタ２０４（図２を参照）の一実施形態を表し得る。特定の実施形態では、インバンドＯＳＮＲモニタ３００は、光ネットワーク１０１（図１を参照）の中のＯＡＤＭ又はＲＯＡＤＭ又は別のノードに含まれても良い。留意すべきことに、種々の実施形態で、インバンドＯＳＮＲモニタ３００は、図３に示す例示的な実施形態より多い又は少ない要素を実装されても良い。
【００３９】
図３で、インバンドＯＳＮＲモニタ３００は、前述のように入力パワータップ信号２１６を受信する可調光ファイバ３０６を有する。可調光ファイバ３０６は、ＯＳＮＲ監視のために入力パワータップ信号２１６の中の所望のチャネルを選択するために調整されても良い。図示のように、可調光ファイバ３０６は、可調光ファイバ３０６に調整コマンド又は信号を送信し得るコントローラ３３０に結合される。可調光ファイバ３０６は、所望の中心周波数に調整されても良く、固定帯域幅又は可調帯域幅を有しても良い。可調光ファイバ３０６は、特に、ＭＥＭＳ（microelectromechanical  system）、集積ミラー、ＬＣｏＳ（liquid  crystal  on  silicon）、プリズム、ファイバグレーティング、導波管グレーティング、ファブリーペロー干渉計、薄膜、のような種々の適切な技術を用いて実装されても良い。インバンドＯＳＮＲモニタ３００では、本願明細書ではインバンド信号３２０として参照される可調光ファイバ３０６からの光出力は、光検出器３０８に供給される。光検出器３０８は、インバンド信号の中の光パワーを示す電気パワー信号３２２を生成する。光検出器３０８は、直流（ＤＣ）結合されても良く、１ＧＨｚより少ない動作帯域幅を有しても良い。光検出器３０８は、無視できる電気ノイズの生成を伴う非常に低い電力の光信号さえも検出するのに適する。電気パワー信号３２２は、また、電気増幅器３１０に供給される。電気増幅器３１０は、増幅パワー信号３２４を生成する。増幅器３１０は、低い固有電気ノイズを示しても良い。増幅パワー信号３２４が得られ、パワー波形データ３２６を生成するためにアナログ−デジタル変換器（ＡＤＣ）３１２（デジタイザとも表される）によりデジタル化される。ＡＤＣ３１２は、約１０メガサンプル毎秒（ＭＳ／ｓ）又はそれより下のサンプリングレートで動作しても良く、８ビット又はそれより大きい分解能を有しても良い。
【００４０】
ＡＤＣ３１２の入力範囲は、光アナログ−デジタル変換のために増幅器３１０の出力範囲と合わせられても良い。パワー波形データ３２６は、デジタル信号プロセッサ（ＤＳＰ）３１４により処理される。ＤＳＰ３１４は、ＯＳＮＲ３２８をコントローラ３３０へ出力しても良い。動作中、コントローラ３３０は、パワータップ信号２１６の中の選択された光チャネルに対応する通過帯域をスキャンするよう、可調光ファイバ３０６に指示し又はそれをプログラミングしても良い。通過帯域が可調光ファイバ３０６によりスキャンされるとき、光検出器３０８は、通過帯域に渡り電気パワー信号３２２を生成する。電気パワー信号３２２は、増幅器３１０により増幅される。次に、ＡＤＣ３１２は、通過帯域に渡り増幅パワー信号３２４をデジタル化し、パワー波形データ３２６を生成する。パワー波形データ３２６は、インバンドノイズ監視としても表される、選択された光チャネルに対応する通過帯域の範囲内の信号パワー及びノイズパワーを有する。ＤＳＰ３１４は、例えば上述の式１及び２を用いて、ＯＳＮＲ３２８を計算するために、パワー波形データ３２６から低域通過フィルタ済みパワーＰＬＰＦ及び帯域通過フィルタ済みパワーＰＢＰＦを計算しても良い。さらに、コントローラ３３０は、測定されたＯＳＮＲを、例えばネットワーク監視及び制御のための外部システムに通信しても良い。所与の実施形態では、コントローラ３３０は、図７の制御システム７００と通信しても良い。
【００４１】
図４Ａを参照すると、インバンドＯＳＮＲモニタ４００−１の例示的な一実施形態の選択された要素が示される。図示のように、インバンドＯＳＮＲモニタ４００−１は、インバンドＯＳＮＲモニタ２０４（図２を参照）の一実施形態を表し得る。特定の実施形態では、インバンドＯＳＮＲモニタ４００−１は、光ネットワーク１０１（図１を参照）の中のＯＡＤＭ又はＲＯＡＤＭ又は別のノードに含まれても良い。留意すべきことに、種々の実施形態で、インバンドＯＳＮＲモニタ４００−１は、図４Ａに示す例示的な実施形態より多い又は少ない要素を実装されても良い。
【００４２】
図４Ａで、パワータップ信号２１６は、Ｘ偏波成分とＹ偏波成分により二重偏波されると仮定される。したがって、インバンド信号３２０は、Ｘ偏波成分とＹ偏波成分とを有する。可調偏波コントローラ４０２は、Ｘ偏波成分及びＹ偏波成分を偏波ビームスプリッタ４０４の固定軸に揃え、第１のインバンド信号３２０−１及び第２のインバンド信号３２０−２を生じる。第１及び第２のインバンド信号３２０−１及び３２０−２は、本願明細書で並行二重偏波アーキテクチャとして表される２つの並行な電気信号経路に沿って、図３に関して上述したようにそれぞれ処理される。これは、本願明細書で並行二重偏波アーキテクチャとして表される。第１の電気信号経路は、光検出器３０８−１、電気増幅器３１０−１、及びＡＤＣ３１２−１を有する。一方、第２の電気信号経路は、光検出器３０８−２、電気増幅器３１０−２、及びＡＤＣ３１２−２を有する。光検出器３０８−１は、第１のインバンド信号３２０−１を受信し、第１の電気パワー信号３２２−１を出力する。電気増幅器３２０−１は、第１の電気パワー信号３２２−１を受信し、第１の増幅パワー信号３２４−１を出力する。ＡＤＣ３１２−１は、第１の増幅パワー信号３２４−１を受信し、第１のパワー波形データ３２６−１を出力する。一方で、光検出器３０８−２は、第２のインバンド信号３２０−２を受信し、第２の電気パワー信号３２２−２を出力する。電気増幅器３２０−２は、第２の電気パワー信号３２２−２を受信し、第２の増幅パワー信号３２４−２を出力する。ＡＤＣ３１２−２は、第２の増幅パワー信号３２４−２を受信し、第２のパワー波形データ３２６−２を出力する。ＯＳＮＲモニタ４００−１では、ＤＳＰ３１４は、第１のパワー波形データ３２６−１及び第２のパワー波形データ３２６−２の両方を並行して受信し、Ｘ偏波成分及びＹ偏波成分について第１のＯＳＮＲ及び第２のＯＳＮＲを生成する。第１及び第２のＯＳＮＲはコントローラ３３０へ通信される。さらに、コントローラ３３０は、可調偏波コントローラ４０２に、Ｘ偏波成分及びＹ偏波成分の偏波角を一致させるよう命令しても良い。
【００４３】
図４Ｂを参照すると、インバンドＯＳＮＲモニタ４００−２の例示的な一実施形態の選択された要素が示される。図示のように、インバンドＯＳＮＲモニタ４００−２は、インバンドＯＳＮＲモニタ２０４（図２を参照）の一実施形態を表し得る。特定の実施形態では、インバンドＯＳＮＲモニタ４００−２は、光ネットワーク１０１（図１を参照）の中のＯＡＤＭ又はＲＯＡＤＭ又は別のノードに含まれても良い。留意すべきことに、種々の実施形態で、インバンドＯＳＮＲモニタ４００−２は、図４Ｂに示す例示的な実施形態より多い又は少ない要素を実装されても良い。
【００４４】
図４Ｂで、インバンドＯＳＮＲモニタ４００−２は、図４Ａで説明したような可調偏波コントローラ４０２と、固定偏波軸を有する偏波器４０６と、を備える。しかしながら、インバンドＯＳＮＲモニタ４００−２では、コントローラは、可調偏波コントローラ４０２に、Ｘ偏波成分及びＹ偏波成分に関して連続して交互に動作するよう指示しても良い。したがって、角偏波成分は、交互に連続して、個々に偏波器４０６を通過する。これは、本願明細書で交互連続アーキテクチャとして言及される。したがって、インバンドＯＳＮＲモニタ４００−２は、インバンドＯＳＮＲモニタ４００−１より少ないコンポーネントにより実装でき、したがってより経済的であるが、ＯＳＮＲをより低速に測定し得る。図示のように、インバンドＯＳＮＲモニタ４００−２は、前述のように動作する、光検出器３０８、電気増幅器３１０、ＡＤＣ３１２、ＤＳＰ３１４を有する。ＤＳＰ３１４は、交互連続方式で、第１のＯＳＮＲ及び第２のＯＳＮＲを出力しても良い。
【００４５】
図５Ａを参照すると、インバンドＯＳＮＲモニタ５００−１の例示的な一実施形態の選択された要素が示される。図示のように、インバンドＯＳＮＲモニタ５００−１は、インバンドＯＳＮＲモニタ２０４（図２を参照）の一実施形態を表し得る。特定の実施形態では、インバンドＯＳＮＲモニタ５００−１は、光ネットワーク１０１（図１を参照）の中のＯＡＤＭ又はＲＯＡＤＭ又は別のノードに含まれても良い。留意すべきことに、種々の実施形態で、インバンドＯＳＮＲモニタ５００−１は、図５Ａに示す例示的な実施形態より多い又は少ない要素を実装されても良い。
【００４６】
図５Ａで、インバンドＯＳＮＲモニタ５００−１は、図４Ａで説明したような、並列二重偏波アーキテクチャを実装している。しかしながら、インバンドＯＳＮＲモニタ５００−１は、異なる偏波要素、つまり偏波スタビライザ５０２を有する。インバンドＯＳＮＲモニタ５００−１では、偏波スタビライザ５０２は、パワータップ信号２１６の中のＸ偏波成分及びＹ偏波成分の偏波角に固定されても良く、コントローラ３３０と独立に動作しても良い。インバンドＯＳＮＲモニタ５００−１の中の残りの要素は、図４Ａで説明したインバンドＯＳＮＲモニタ４００−１と実質的に同様の方法で動作しても良い。
【００４７】
図５Ｂを参照すると、インバンドＯＳＮＲモニタ５００−２の例示的な一実施形態の選択された要素が示される。図示のように、インバンドＯＳＮＲモニタ５００−２は、インバンドＯＳＮＲモニタ２０４（図２を参照）の一実施形態を表し得る。特定の実施形態では、インバンドＯＳＮＲモニタ５００−２は、光ネットワーク１０１（図１を参照）の中のＯＡＤＭ又はＲＯＡＤＭ又は別のノードに含まれても良い。留意すべきことに、種々の実施形態で、インバンドＯＳＮＲモニタ５００−２は、図５Ｂに示す例示的な実施形態より多い又は少ない要素を実装されても良い。
【００４８】
図５Ｂで、インバンドＯＳＮＲモニタ５００−１は、図４Ｂで説明したような、交互連続アーキテクチャを実装している。しかしながら、インバンドＯＳＮＲモニタ５００−２は、偏波スタビライザ５０２を有する。インバンドＯＳＮＲモニタ５００−２では、偏波スタビライザ５０２は、パワータップ信号２１６の中のＸ偏波成分の偏波角とＹ偏波成分の偏波角との間で変更し、これらの角度を偏波器４０６の固定軸に変換するよう、コントローラ３３０により制御されても良い。インバンドＯＳＮＲモニタ５００−２の中の残りの要素は、図４Ｂで説明したインバンドＯＳＮＲモニタ４００−２と実質的に同様の方法で動作しても良い。
【００４９】
図６Ａを参照すると、インバンドＯＳＮＲモニタ６００−１の例示的な一実施形態の選択された要素が示される。図示のように、インバンドＯＳＮＲモニタ６００−１は、インバンドＯＳＮＲモニタ２０４（図２を参照）の一実施形態を表し得る。特定の実施形態では、インバンドＯＳＮＲモニタ６００−１は、光ネットワーク１０１（図１を参照）の中のＯＡＤＭ又はＲＯＡＤＭ又は別のノードに含まれても良い。留意すべきことに、種々の実施形態で、インバンドＯＳＮＲモニタ６００−１は、図５Ａに示す例示的な実施形態より多い又は少ない要素を実装されても良い。
【００５０】
図６Ａで、インバンドＯＳＮＲモニタ６００−１は、図４Ａで説明したような、並列二重偏波アーキテクチャを実装している。しかしながら、インバンドＯＳＮＲモニタ６００−１は、パワータップ信号２１６のＸ偏波成分及びＹ偏波成分の偏波角に固定される可調偏波器６０４とスプリッタ６０２とを有する異なる偏波構成を有する。可調偏波器６０４の偏波角は、コントローラ３３０により制御されても良い。可調偏波器６０４−１は、Ｘ偏波成分に従って固定され、Ｙ偏波成分をフィルタ除去する。一方で、可調偏波器６０４−２は、Ｙ偏波成分に従って固定され、Ｘ偏波成分をフィルタ除去する。インバンドＯＳＮＲモニタ６００−１の中の残りの要素は、図４Ａで説明したインバンドＯＳＮＲモニタ４００−１と実質的に同様の方法で動作しても良い。
【００５１】
図６Ｂを参照すると、インバンドＯＳＮＲモニタ６００−２の例示的な一実施形態の選択された要素が示される。図示のように、インバンドＯＳＮＲモニタ６００−２は、インバンドＯＳＮＲモニタ２０４（図２を参照）の一実施形態を表し得る。特定の実施形態では、インバンドＯＳＮＲモニタ６００−２は、光ネットワーク１０１（図１を参照）の中のＯＡＤＭ又はＲＯＡＤＭ又は別のノードに含まれても良い。留意すべきことに、種々の実施形態で、インバンドＯＳＮＲモニタ６００−２は、図６Ｂに示す例示的な実施形態より多い又は少ない要素を実装されても良い。
【００５２】
図６Ｂで、インバンドＯＳＮＲモニタ６００−２は、図４Ｂで説明したような、交互連続アーキテクチャを実装している。しかしながら、インバンドＯＳＮＲモニタ５００−２は、パワータップ信号２１６のＸ偏波成分の偏波角とＹ偏波成分の偏波角との間で変更しても良い可調偏波器６０４を有する。可調偏波器６０４の偏波角は、前述の交互連続方式で動作するよう、コントローラ３３０により制御されても良い。インバンドＯＳＮＲモニタ６００−２の中の残りの要素は、図４Ａで説明したインバンドＯＳＮＲモニタ４００−１と実質的に同様の方法で動作しても良い。
【００５３】
図７を参照すると、例えば光ネットワーク１０１（図１を参照）におけるような光ネットワークにおける制御プレーン機能を実装する制御システム７００の一実施形態の選択された要素のブロック図が示される。制御プレーンは、ネットワーク知能及び制御のための機能を有しても良く、更に詳細に記載するように発見、ルーティング、経路計算、及びシグナリングのためのアプリケーション又はモジュールを含むネットワークサービスを確立する能力をサポートするアプリケーションを有しても良い。制御システム７００により実行される制御プレーンアプリケーションは、光ネットワークの中でサービスを自動的に確立するために一緒に動作しても良い。発見モジュール７１２は、近隣同士を接続するローカルリンクを発見しても良い。ルーティングモジュール７１０は、データベース７０４を移植する（populate）間に、光ネットワークノードへローカルリンク情報をブロードキャストしても良い。光ネットワークからのサービスに対する要求が受信されると、経路計算エンジン７０２は、データベース７０４を用いてネットワーク経路を計算するために呼び出されても良い。このネットワーク経路は、次に、要求されたサービスを確立するために、シグナリングモジュール７０６に提供されても良い。
【００５４】
図７に示すように、制御システム７００は、プロセッサ７０８と、記憶媒体７２０とを有する。記憶媒体７２０は、記憶媒体２２０へのアクセスを有するプロセッサ７０８により実行可能な実行可能命令（つまり、実行可能コード）を格納しても良い。プロセッサ７０８は、制御システム７００に本願明細書に記載の機能及び動作を実行させる命令を実行しても良い。本開示の目的のために、記憶媒体７２０は、少なくともある時間期間の間、データ及び命令を格納する非一時的コンピュータ可読媒体を含み得る。記憶媒体７２０は、永続的及び揮発性媒体、固定及び取り外し可能媒体、磁気及び半導体媒体を含み得る。記憶媒体７２０は、直接アクセス記憶装置（例えば、ハードディスクドライブ又はフロッピー(登録商標)ディスク）、順次アクセス記憶装置（例えば、テープディスクドライブ）、ＣＤ（compact  disk）、ＲＡＭ（random  access  memory）、ＲＯＭ（read−only  memory）、ＣＤ−ＲＯＭ、ＤＶＤ（digital  versatile  disc）、ＥＥＰＲＯＭ（electrically  erasable  programmable  read−only  memory）、及びフラッシュメモリのような記憶媒体、非一時的媒体、又はこれらの種々の組合せを有してもよいが、これらに限定されない。記憶媒体７２０は、命令、データ、又はそれらの両方を格納するよう動作する。図示のような記憶媒体７２０は、実行可能コンピュータプログラム、つまり経路計算エンジン７０２、シグナリングモジュール７０６、発見モジュール７１２、及びルーティングモジュール７１０を表し得る命令のセット又はシーケンスを有する。
【００５５】
図７の制御システム７００には、ネットワークインタフェース７１４も含まれる。ネットワークインタフェース７１４は、プロセッサ７０８とネットワーク７３０との間のインタフェースとして機能するよう動作する適切なシステム、機器又は装置であっても良い。ネットワークインタフェース７１４は、制御システム７００が適切な送信プロトコル又は規格を用いてネットワーク７３０を介して通信することを可能にしても良い。幾つかの実施形態では、ネットワークインタフェース７１４は、ネットワーク７３０を介してネットワーク記憶リソースに通信可能に結合されても良い。幾つかの実施形態では、ネットワーク７３０は、光ネットワーク１０１の少なくとも特定の部分の一実施形態であっても良い。ネットワーク７３０は、ガルバニック又は電子媒体を用いるネットワークの特定部分を有しても良い。特定の実施形態では、ネットワーク７３０は、インターネットのような公共ネットワークの少なくとも特定部分を有しても良い。ネットワーク７３０は、ハードウェア、ソフトウェア、又はそれらの種々の組合せを用いて実装されても良い。
【００５６】
特定の実施形態では、制御システム７００は、人（つまり、ユーザ）と相互作用し、光信号送信経路に関するデータを受信するよう構成されても良い。例えば、制御システム７００は、ユーザからの光信号送信経路に関するデータの受信を実現するために及びユーザに結果を出力するために、１又は複数の入力装置及び出力装置を有し又はそれらに結合されても良い。１又は複数の入力又は出力装置（図示しない）は、キーボード、マウス、タッチパッド、マイクロフォン、ディスプレイ、タッチスクリーンディスプレイ、オーディオスピーカ、等を有しても良いが、これらに限定されない。代替又は追加で、制御システム７００は、例えばネットワーク７３０を介して、別のコンピューティング装置又はネットワーク要素のような装置から光信号送信経路に関するデータを受信するよう構成されても良い。
【００５７】
図７に示すように、幾つかの実施形態では、発見モジュール７１２は、光ネットワークにおける光信号送信経路に関するデータを受信するよう構成されても良く、近隣及び近隣同士の間のリンクの発見を担っても良い。言い換えると、発見モジュール７１２は、発見プロトコルに従って発見メッセージを送信しても良く、光信号送信経路に関するデータを受信しても良い。幾つかの実施形態では、発見モジュール７１２は、特に、ファイバ種類、ファイバ長、コンポーネントの数及び種類、データレート、データの変調フォーマット、光信号の入力パワー、信号搬送波長（つまり、チャネル）の数、チャネル間隔、トラフィック要求、及びネットワークトポロジ、のような特徴を決定しても良いが、これらに限定されない。
【００５８】
図７に示すように、ルーティングモジュール７１０は、光ネットワーク１０１のような光ネットワークの中の種々のノードにリンク接続性情報を伝搬することを担っても良い。特定の実施形態では、ルーティングモジュール７１０は、リンク帯域幅可用性を含み得る、トラフィックエンジニアリングをサポートするためのリソース情報をデータベース７０４に移植しても良い。したがって、データベース７０４は、ルーティングモジュール７１０により、光ネットワークのネットワークトポロジを決定するのに有用な情報を移植されても良い。
【００５９】
経路計算エンジン７０２は、光信号送信経路の送信特性を決定するために、ルーティングモジュール７１０によりデータベース７０４に提供される情報を用いるよう構成されても良い。光信号送信経路の送信特性は、特に、色分散（chromatic  dispersion：ＣＤ）、非線形（nonlinear：ＮＬ）効果、偏光モード分散（polarization  mode  dispersion：ＰＭＤ）及び偏光依存損失（polarization  dependent  loss：ＰＤＬ）のような偏光効果、並びに自然放出雑音（amplified  spontaneous  emission：ＡＳＥ）のような送信劣化因子が、光信号送信経路内で光信号にどれ位影響を与え得るかについての見識を提供しても良い。光信号送信経路の送信特性を決定するために、経路計算エンジン７０２は、送信劣化因子の間の相互作用を検討しても良い。種々の実施形態では、経路計算エンジン７０２は、特定の送信劣化因子の値を生成しても良い。経路計算エンジン７０２は、光信号送信経路を記述するデータをデータベース７０４に更に格納しても良い。
【００６０】
図７で、シグナリングモジュール７０６は、光ネットワーク１０１のような光ネットワークの中のエンド−エンドサービスを設定、変更、及び取り壊しに関連する機能を提供しても良い。例えば、光ネットワーク内のイングレスノードがサービス要求を受信すると、制御システム１００は、シグナリングモジュール７０６を用いて、帯域幅、コスト、等のような異なる基準に従って最適化され得る経路計算エンジン７０２からのネットワーク経路を要求しても良い。所望のネットワーク経路が識別されると、次に、シグナリングモジュール７０６は、要求されたネットワークサービスを確立するために、ネットワーク経路に沿って個々のノードと通信しても良い。異なる実施形態では、シグナリングモジュール７０６は、ネットワーク経路に沿ってノードへ及びノードから後続の通信を伝搬するために、シグナリングプロトコルを用いても良い。
【００６１】
制御システム７００の動作中、前述のインバンドＯＳＮＲモニタの中のコントローラ３３０は、ネットワーク監視及び制御動作のために、測定したＯＳＮＲを制御システム７００へ通信しても良い。
【００６２】
図８を参照すると、本願明細書で記載されるような、インバンドＯＳＮＲ監視のための方法８００の一実施形態の選択された要素のブロック図がフローチャートの形式で示される。方法８００は、インバンドＯＳＮＲモニタ２０４を用いて実行されても良い。留意すべきことに、方法８００で記載される特定の動作は、異なる実施形態では任意であっても良く或いは再配置されても良い。
【００６３】
方法８００は、ＯＳＮＲ監視のために第１の光信号を受信するステップ（動作８０２）で開始しても良い。第１の光信号は、第１の光チャネルを含む。第１の光信号は、第１の光チャネルに対応する通過帯域に渡りインバンド信号を生成するために、光学的にフィルタリングされる（動作８０４）。通過帯域に渡る光パワーを示す電気パワー信号が生成されるように、インバンド信号の光パワーが通過帯域に渡り測定される（動作８０６）。電気パワー信号は、増幅電力信号を生成するために、電気的に増幅される（動作８０８）。増幅パワー信号は、パワー波形データを生成するために、デジタル化される（動作８１０）。パワー波形データは、第１の光チャネルのＯＳＮＲを計算するために、デジタル信号プロセッサを用いて処理される（動作８１２）。
【００６４】
本願明細書に開示のように、インバンドＯＳＮＲ監視のための方法及びシステムは、所望の光チャネルの通過帯域をスキャンするために、可調光フィルタを有する。通過帯域に渡る光パワーは、測定され、パワー波形データにデジタル化される。パワー波形データは、ＯＳＮＲを計算するために、デジタル信号プロセッサにより処理される。さらに、種々の実装は、並列アーキテクチャ及び交互連続アーキテクチャを用いて二重偏波変調フォーマットに対応する。
【００６５】
以上に開示した主題は、説明のためであり、限定ではないと考えられるべきである。また、添付の特許請求の範囲は、本開示の真の精神及び範囲に包含される全ての変更、拡張及び他の実施形態を包含することを意図している。したがって、法により認められる最大範囲まで、本開示の範囲は、特許請求の範囲及びその等価物の最も広い許容可能な解釈により決定されるべきであり、前述の詳細な説明により限定又は制限されるべきではない。
【００６６】
以上の実施形態に加えて、更に以下の付記を開示する。
（付記１）  光信号のＯＳＮＲ（optical  signal−to−noise  ratio）を監視する方法であって、前記方法は、
ＯＳＮＲ監視のために第１の光信号を受信するステップであって、前記第１の光信号は第１の光チャネルを有する、ステップと、
前記第１の光チャネルに対応する通過帯域に渡りインバンド信号を生成するために、前記第１の光信号を光学的にフィルタリングするステップと、
前記通過帯域に渡り前記インバンド信号の光パワーを測定するステップであって、前記通過帯域に渡る前記光パワーを示す電気パワー信号が生成される、ステップと、
増幅パワー信号を生成するために、前記電気パワー信号を電気的に増幅するステップと、
パワー波形データを生成するために、前記増幅パワー信号をデジタル化するステップと、
前記第１の光チャネルのＯＳＮＲを計算するために、デジタル信号プロセッサを用いて前記パワー波形データを処理するステップと、
を有する方法。
（付記２）  前記第１の光信号は、前記第１の光チャネルを含む複数の光チャネルを有し、前記複数の光チャネルは波長分割多重される、付記１に記載の方法。
（付記３）  前記複数の光チャネルは、Ｘ偏波成分及びＹ偏波成分を含む直交二重偏波変調を用いて変調される、付記１に記載の方法。
（付記４）  前記光チャネルは、ＰＳＫ（phase−shift  keying）、ＦＳＫ（frequency−shift  keying）、ＡＳＫ（amplitude−shift  keying）、及びＱＡＭ（quadrature  amplitude  modulation）のうちの少なくとも１つを用いて変調される、付記２に記載の方法。
（付記５）  前記第１の光信号は、Ｘ偏波成分及びＹ偏波成分を含む直交二重偏波変調を用いて変調され、前記方法は、
前記光学的にフィルタリングするステップの後に、前記Ｘ偏波成分及び前記Ｙ偏波成分を光学的に分離するステップと、
並列及び同時に、前記Ｘ偏波成分の第１のパワー波形データと前記Ｙ偏波成分の第２のパワー波形データとを生成するステップと、
前記Ｘ偏波成分の第１のＯＳＮＲ及び前記Ｙ偏波成分の第２のＯＳＮＲを計算するために、前記デジタル信号プロセッサを用いて前記第１のパワー波形データ及び前記第２のパワー波形データを処理するステップと、
を更に有する付記１に記載の方法。
（付記６）  前記第１の光信号は、Ｘ偏波成分及びＹ偏波成分を含む直交二重偏波変調を用いて変調され、前記方法は、
前記光学的にフィルタリングするステップの後に、前記インバンド信号の前記Ｘ偏波成分及び前記Ｙ偏波成分のうちの１つを連続交互方式で光学的に選択するステップと、
前記連続交互方式で、前記Ｘ偏波成分の第１のパワー波形データと前記Ｙ偏波成分の第２のパワー波形データとを生成するステップと、
前記Ｘ偏波成分の第１のＯＳＮＲ及び前記Ｙ偏波成分の第２のＯＳＮＲを計算するために、前記デジタル信号プロセッサを用いて前記第１のパワー波形データ及び前記第２のパワー波形データを処理するステップと、
を更に有する付記１に記載の方法。
（付記７）  ＯＳＮＲ（optical  signal−to−noise  ratio）モニタであって、
可調光フィルタであって、
ＯＳＮＲ監視のために第１の光信号を受信し、前記第１の光信号は第１の光チャネルを有し、
前記第１の光チャネルに対応する通過帯域に渡りインバンド信号を生成するために、前記第１の光信号を光学的にフィルタリングする、可調光フィルタと、
光検出器であって、
前記通過帯域に渡り前記インバンド信号の光パワーをサンプリングし、
前記通過帯域に渡る前記光パワーを示す電気パワー信号を生成する、光検出器と、
増幅器であって、
前記電気パワー信号を電気的に増幅し、
増幅パワー信号を生成する、増幅器と、
前記増幅パワー信号からパワー波形データを生成するデジタイザと、
デジタル信号プロセッサであって、
前記パワー波形データを処理し、
前記第１の光チャネルのＯＳＮＲを計算する、デジタル信号プロセッサと、
を有するＯＳＮＲモニタ。
（付記８）  前記第１の光信号は、前記第１の光チャネルを含む複数の光チャネルを有し、前記複数の光チャネルは波長分割多重される、付記７に記載のＯＳＮＲモニタ。
（付記９）  前記光チャネルは、Ｘ偏波成分及びＹ偏波成分を含む直交二重偏波変調を用いて変調される、付記８に記載のＯＳＮＲモニタ。
（付記１０）  前記光チャネルは、ＰＳＫ（phase−shift  keying）、ＦＳＫ（frequency−shift  keying）、ＡＳＫ（amplitude−shift  keying）、及びＱＡＭ（quadrature  amplitude  modulation）のうちの少なくとも１つを用いて変調される、付記８に記載のＯＳＮＲモニタ。
（付記１１）  ＯＳＮＲ（optical  signal−to−noise  ratio）モニタであって、
可調光フィルタであって、
ＯＳＮＲ監視のために第１の光信号を受信し、前記第１の光信号は第１の光チャネルを有し、前記第１の光信号は、Ｘ偏波成分及びＹ偏波成分を含む直交二重偏波変調を用いて変調され、
前記第１の光チャネルに対応する通過帯域に渡りインバンド信号を生成するために、前記第１の光信号を光学的にフィルタリングする、可調光フィルタと、
偏波要素であって、
前記光フィルタの出力を受信し、
前記Ｘ偏波成分及び前記Ｙ偏波成分を光学的に分離する、偏波要素と、
第１の光検出器であって、
前記Ｘ偏波成分の前記通過帯域に渡る前記インバンド信号の第１の光パワーをサンプリングし、
前記Ｘ偏波成分の前記通過帯域に渡る前記第１の光パワーを示す第１の電気パワー信号をそれぞれ生成する、第１の光検出器と、
第２の光検出器であって、
前記Ｙ偏波成分の前記通過帯域に渡る前記インバンド信号の第２の光パワーをサンプリングし、
前記Ｙ偏波成分の前記通過帯域に渡る前記第２の光パワーを示す第２の電気パワー信号を生成する、第２の光検出器と、
第１の増幅器であって、
前記Ｘ偏波成分の前記第１の電気パワー信号を電気的に増幅し、
前記Ｘ偏波成分の第１の増幅パワー信号を生成する、第１の増幅器と、
第２の増幅器であって、
前記Ｙ偏波成分の前記第２の電気パワー信号を電気的に増幅し、
前記Ｙ偏波成分の第２の増幅パワー信号を生成する、第２の増幅器と、
前記Ｘ偏波成分の前記第１の増幅パワー信号から第１のパワー波形データを生成する第１のデジタイザと、
前記Ｙ偏波成分の前記第２の増幅パワー信号から第２のパワー波形データを生成する第２のデジタイザと、
デジタル信号プロセッサであって、
前記第１のパワー波形データ及び前記第２のパワー波形データを処理し、
前記Ｘ偏波成分の第１のＯＳＮＲを計算し、
前記Ｙ偏波成分の第２のＯＳＮＲを計算する、デジタル信号プロセッサと、
を有するＯＳＮＲモニタ。
（付記１２）  前記第１の光信号は、Ｘ偏波成分及びＹ偏波成分を含む直交二重偏波変調を用いて変調され、前記ＯＳＮＲモニタは、
前記光学的なフィルタリングの後に、前記インバンド信号の前記Ｘ偏波成分及び前記Ｙ偏波成分のうちの１つを連続交互方式で光学的に選択する偏波要素、
を更に有し、
前記デジタイザは、前記連続交互方式で、前記Ｘ偏波成分の第１のパワー波形データと前記Ｙ偏波成分の第２のパワー波形データとを生成し、
前記デジタル信号プロセッサは、
前記第１のパワー波形データ及び前記第２のパワー波形データを処理し、
前記Ｘ偏波成分の第１のＯＳＮＲを計算し、
前記Ｙ偏波成分の第２のＯＳＮＲを計算する、
付記１１に記載のＯＳＮＲモニタ。
（付記１３）  光通信システムであって、
光信号送信経路で光信号を送信する送信機と、
前記光信号送信経路から前記光信号を受信する受信機と、
ＯＳＮＲ（optical  signal−to−noise  ratio）モニタと、
を有し、前記ＯＳＮＲモニタは、
可調光フィルタであって、
ＯＳＮＲ監視のために第１の光信号を受信し、前記第１の光信号は第１の光チャネルを有し、
前記第１の光チャネルに対応する通過帯域に渡りインバンド信号を生成するために、前記第１の光信号を光学的にフィルタリングする、可調光フィルタと、
光検出器であって、
前記通過帯域に渡り前記インバンド信号の光パワーをサンプリングし、
前記通過帯域に渡る前記光パワーを示す電気パワー信号を生成する、光検出器と、
増幅器であって、
前記電気パワー信号を電気的に増幅し、
増幅パワー信号を生成する、増幅器と、
前記増幅パワー信号からパワー波形データを生成するデジタイザと、
デジタル信号プロセッサであって、
前記パワー波形データを処理し、
前記第１の光チャネルのＯＳＮＲを計算する、デジタル信号プロセッサと、
を有する、
光通信システム。
（付記１４）  前記第１の光信号は、前記第１の光チャネルを含む複数の光チャネルを有し、前記複数の光チャネルは波長分割多重される、付記１３に記載の光通信システム。
（付記１５）  前記光チャネルは、Ｘ偏波成分及びＹ偏波成分を含む直交二重偏波変調を用いて変調される、付記１４に記載の光通信システム。
（付記１６）  前記光チャネルは、ＰＳＫ（phase−shift  keying）、ＦＳＫ（frequency−shift  keying）、ＡＳＫ（amplitude−shift  keying）、及びＱＡＭ（quadrature  amplitude  modulation）のうちの少なくとも１つを用いて変調される、付記１４に記載の光通信システム。
（付記１７）  前記第１の光信号は、Ｘ偏波成分及びＹ偏波成分を含む直交二重偏波変調を用いて変調され、前記ＯＳＮＲモニタは、
前記光学的なフィルタリングの後に、前記インバンド信号の前記Ｘ偏波成分及び前記Ｙ偏波成分のうちの１つを連続交互方式で光学的に選択する偏波要素、
を更に有し、
前記デジタイザは、前記連続交互方式で、前記Ｘ偏波成分の第１のパワー波形データと前記Ｙ偏波成分の第２のパワー波形データとを生成し、
前記デジタル信号プロセッサは、
前記第１のパワー波形データ及び前記第２のパワー波形データを処理し、
前記Ｘ偏波成分の第１のＯＳＮＲを計算し、
前記Ｙ偏波成分の第２のＯＳＮＲを計算する、
付記１３に記載の光通信システム。
（付記１８）  前記第１の光信号は、前記第１の光チャネルを含む複数の光チャネルを有し、前記複数の光チャネルはスーパーチャネルである、付記１３に記載の光通信システム。
（付記１９）  光通信システムであって、
光信号送信経路で光信号を送信する送信機と、
前記光信号送信経路から前記光信号を受信する受信機と、
ＯＳＮＲ（optical  signal−to−noise  ratio）モニタと、
を有し、前記ＯＳＮＲモニタは、
可調光フィルタであって、
ＯＳＮＲ監視のために第１の光信号を受信し、前記第１の光信号は第１の光チャネルを有し、前記第１の光信号は、Ｘ偏波成分及びＹ偏波成分を含む直交二重偏波変調を用いて変調され、
前記第１の光チャネルに対応する通過帯域に渡りインバンド信号を生成するために、前記第１の光信号を光学的にフィルタリングする、可調光フィルタと、
偏波要素であって、
前記光フィルタの出力を受信し、
前記Ｘ偏波成分及び前記Ｙ偏波成分を光学的に分離する、偏波要素と、
第１の光検出器であって、
前記Ｘ偏波成分の前記通過帯域に渡る前記インバンド信号の第１の光パワーをサンプリングし、
前記Ｘ偏波成分の前記通過帯域に渡る前記第１の光パワーを示す第１の電気パワー信号をそれぞれ生成する、第１の光検出器と、
第２の光検出器であって、
前記Ｙ偏波成分の前記通過帯域に渡る前記インバンド信号の第２の光パワーをサンプリングし、
前記Ｙ偏波成分の前記通過帯域に渡る前記第２の光パワーを示す第２の電気パワー信号を生成する、第２の光検出器と、
第１の増幅器であって、
前記Ｘ偏波成分の前記第１の電気パワー信号を電気的に増幅し、
前記Ｘ偏波成分の第１の増幅パワー信号を生成する、第１の増幅器と、
第２の増幅器であって、
前記Ｙ偏波成分の前記第２の電気パワー信号を電気的に増幅し、
前記Ｙ偏波成分の第２の増幅パワー信号を生成する、第２の増幅器と、
前記Ｘ偏波成分の前記第１の増幅パワー信号から第１のパワー波形データを生成する第１のデジタイザと、
前記Ｙ偏波成分の前記第２の増幅パワー信号から第２のパワー波形データを生成する第２のデジタイザと、
デジタル信号プロセッサであって、
前記第１のパワー波形データ及び前記第２のパワー波形データを処理し、
前記Ｘ偏波成分の第１のＯＳＮＲを計算し、
前記Ｙ偏波成分の第２のＯＳＮＲを計算する、デジタル信号プロセッサと、
を有する、光通信システム。
（付記２０）  前記第１の光信号は、前記第１の光チャネルを含む複数の光チャネルを有し、前記複数の光チャネルは波長分割多重される、付記１９に記載の光通信システム。
【符号の説明】
【００６７】
２０２  ＯＡＤＭノード
２０４  インバンドＯＳＮＲモニタ
２０６  ＯＡＤＭコントローラ
２０８  タップ
２１０  入力チャネル
２１２  交換装置
２１４  出力チャネル
２１６  入力パワータップ信号
２７０  記憶媒体
３０６  可調光フィルタ
３０８  光検出器
３１０  電気増幅器
３３０  コントローラ
４０２  可調偏波コントローラ
４０４  偏光ビームスプリッタ
４０６  偏波器
５０２  偏波スタビライザ
６０２  スプリッタ
６０４  可調偏波器
７００  制御システム
７０２  経路計算エンジン
７０４  データベース
７０６  シグナリングモジュール
７０８  プロセッサ
７１０  ルーティングモジュール
７１２  発見モジュール
７１４  ネットワークインタフェース
７３０  ネットワーク
【図１】
0006658081.tif 000004
【図２】
0006658081.tif 000005
【図３】
0006658081.tif 000006
【図４Ａ】
0006658081.tif 000007
【図４Ｂ】
0006658081.tif 000008
【図５Ａ】
0006658081.tif 000009
【図５Ｂ】
0006658081.tif 000010
【図６Ａ】
0006658081.tif 000011
【図６Ｂ】
0006658081.tif 000012
【図７】
0006658081.tif 000013
【図８】
0006658081.tif 000014